(57)【要約】【課題】配線数を削減し配線作業が簡単になり設置や変更が容易な警報盤等を提供する。【解決手段】設備機器２に対応して設けられ警報信号を入力する複数の警報入力部４と、警報用機器３に対応して設けられ警報信号を出力する移報出力部５と、警報信号が入力された警報入力部４に応じて１または複数の移報出力部５より警報信号を出力するように制御する制御部６とを備えた警報盤であって、制御部６は、警報入力部４に応じて警報信号を出力させるべき１または複数の移報出力部５を設定する設定手段１５と、警報信号を入力した警報入力部４を判断する第１の判断手段１６と、第１の判断手段１６で判断された警報入力部から警報信号を移報すべき移報出力部を設定手段の設定に基づいて判断しその移報出力部より警報信号を出力させる第２の判断手段１７とを有するものである。【選択図】        図１
2007072748.tif 000002
【特許請求の範囲】
【請求項１】
第１の複数の機器に対応して設けられ前記第１の複数の機器からの警報信号を入力する複数の警報入力部と、第２の複数の機器に対応して設けられ前記第２の複数の機器に前記警報信号を出力する移報出力部と、前記警報信号が入力された前記警報入力部に応じて１または複数の前記移報出力部より前記警報信号を出力するように制御する制御部とを備えた警報盤であって、
前記制御部は、前記警報入力部に応じて前記警報信号を出力させるべき１または複数の前記移報出力部を設定する設定手段と、前記第１の複数の機器から前記警報信号を入力した前記警報入力部を判断する第１の判断手段と、前記第１の判断手段で判断された前記警報入力部から前記警報信号を移報すべき前記移報出力部を前記設定手段の設定に基づいて判断しその移報出力部より前記警報信号を出力させる第２の判断手段とを有する警報盤。  
【請求項２】
前記設定手段は、前記警報入力部ごとに前記移報出力部の全てを表示する表示部と、前記表示部上の前記移報出力部の各々にカーソルを順次移動させる第１の操作部と、前記カーソルの位置した前記移報出力部より前記警報信号を出力させる場合に前記表示部上に移報出力部表示を行う第２の操作部と、前記第２の操作部により前記移報出力部表示がされた前記移報出力部を記憶させる第３の操作部と、前記第３の操作部により前記移報出力部を記憶する記憶部とを有する請求項１記載の警報盤。
【請求項３】
請求項１記載の警報盤の制御部に使用されるコンピュータのプログラムであって、
前記警報入力部に応じて前記警報信号を出力させるべき１または複数の前記移報出力部を設定する設定手段と、前記第１の複数の機器から前記警報信号を入力した前記警報入力部を判断する第１の判断手段と、前記第１の判断手段で判断された前記警報入力部から前記警報信号を移報すべき前記移報出力部を前記設定手段の設定に基づいて判断しその移報出力部より前記警報信号を出力させる第２の判断手段とを前記コンピュータに機能させるプログラム。  
【請求項４】
請求項１記載の警報盤の制御部に使用されるコンピュータのプログラムを記録した記録媒体であって、
前記警報入力部に応じて前記警報信号を出力させるべき１または複数の前記移報出力部を設定する設定手段と、前記第１の複数の機器から前記警報信号を入力した前記警報入力部を判断する第１の判断手段と、前記第１の判断手段で判断された前記警報入力部から前記警報信号を移報すべき前記移報出力部を前記設定手段の設定に基づいて判断しその移報出力部より前記警報信号を出力させる第２の判断手段とを前記コンピュータに機能させるプログラムを記録したコンピュータ読み取り可能な記録媒体。  
【発明の詳細な説明】
【技術分野】
【０００１】
この発明は、警報盤、プログラムおよび記録媒体に関するものである。
【背景技術】
【０００２】
警報盤は、例えば受電、空調、給排水、ガス等の機器からの警報（異常）信号を入力することで、例えば警報動作や警報処理すべき機器に警報信号を出力するものである（例えば特許文献１参照）。
【０００３】
従来例として例えば図９の場合を説明する。１００は警報盤、１０１はリレーＲＹ１〜ＲＹ４を用いた警報入力部、１０２はリレー接点ｒ１〜ｒ４を用いた移報出力部、１０３〜１０６は電気系統、水道系統、ガス系統等の警報センサなどのある設備機器、１０７〜１１０は設備機器１０３〜１０６からの警報信号の移報出力を受けて警報を行ったり警報処理を行う電気系警報用機器、水道系警報用機器、ガス系警報用機器、パトライト等の警報用機器である。
【０００４】
リレーＲＹｎ（ｎ＝１〜４）は接点ｒｎに対応しているため、例えば設備機器１０３に警報が発生した場合、その移報出力により警報入力部１０１のリレーＲＹ１が作動する。リレーＲＹ１の作動により、移報出力部１０２のリレー接点ｒ１が閉じるので電気系警報用機器１０７とパトライト１１０が動作する。
【特許文献１】特開平10-275288号公報
【発明の開示】
【発明が解決しようとする課題】
【０００５】
しかし、警報盤を設置する場合、警報盤と設備機器との間、警報盤と警報用機器等との間を配線するとともに、警報盤内では特定の設備機器の警報発生に対応して特定の警報用機器が動作するように、リレーＲＹｎとリレー接点ｒｎを配線する必要があり、そのため配線数が多く配線作業が煩雑であり、警報盤の設置に時間がかかる。
【０００６】
また、設備機器１０３〜１０６の警報発生で動作すべき警報用機器１０７〜１１０が変更される場合、あるいは設備機器や警報用機器が増設される場合、警報盤の配線を変更する必要がある。この場合、配線による複雑なＯＲ回路やリレーによる接点の増設が発生する。このため、配線数が増加し配線作業が複雑になり、変更増設に時間がかかる。
【０００７】
したがって、この発明の目的は、配線数を削減し、配線作業が簡単になり、設置や変更が容易な警報盤、プログラムおよび記録媒体を提供することである。
【課題を解決するための手段】
【０００８】
この発明の警報盤は、第１の複数の機器に対応して設けられ前記第１の複数の機器からの警報信号を入力する複数の警報入力部と、第２の複数の機器に対応して設けられ前記第２の複数の機器に前記警報信号を出力する移報出力部と、前記警報信号が入力された前記警報入力部に応じて１または複数の前記移報出力部より前記警報信号を出力するように制御する制御部とを備えた警報盤であって、
前記制御部は、前記警報入力部に応じて前記警報信号を出力させるべき１または複数の前記移報出力部を設定する設定手段と、前記第１の複数の機器から前記警報信号を入力した前記警報入力部を判断する第１の判断手段と、前記第１の判断手段で判断された前記警報入力部から前記警報信号を移報すべき前記移報出力部を前記設定手段の設定に基づいて判断しその移報出力部より前記警報信号を出力させる第２の判断手段とを有するものである。  
【０００９】
上記構成において、前記設定手段は、前記警報入力部ごとに前記移報出力部の全てを表示する表示部と、前記表示部上の前記移報出力部の各々にカーソルを順次移動させる第１の操作部と、前記カーソルの位置した前記移報出力部より前記警報信号を出力させる場合に前記表示部上に移報出力部表示を行う第２の操作部と、前記第２の操作部により前記移報出力部表示がされた前記移報出力部を記憶させる第３の操作部と、前記第３の操作部により前記移報出力部を記憶する記憶部とを有するものである。
【００１０】
この発明のプログラムは、上記構成の警報盤の制御部に使用されるコンピュータのプログラムであって、
前記警報入力部に応じて前記警報信号を出力させるべき１または複数の前記移報出力部を設定する設定手段と、前記第１の複数の機器から前記警報信号を入力した前記警報入力部を判断する第１の判断手段と、前記第１の判断手段で判断された前記警報入力部から前記警報信号を移報すべき前記移報出力部を前記設定手段の設定に基づいて判断しその移報出力部より前記警報信号を出力させる第２の判断手段とを前記コンピュータに機能させるものである。  
【００１１】
この発明の記録媒体は、上記構成の警報盤の制御部に使用されるコンピュータのプログラムを記録した記録媒体であって、
前記警報入力部に応じて前記警報信号を出力させるべき１または複数の前記移報出力部を設定する設定手段と、前記第１の複数の機器から前記警報信号を入力した前記警報入力部を判断する第１の判断手段と、前記第１の判断手段で判断された前記警報入力部から前記警報信号を移報すべき前記移報出力部を前記設定手段の設定に基づいて判断しその移報出力部より前記警報信号を出力させる第２の判断手段とを前記コンピュータに機能させるプログラムを記録したコンピュータ読み取り可能な記録媒体である。  
【発明の効果】
【００１２】
この発明の警報盤、プログラムおよび記録媒体によれば、各種機器に接続される警報入力部と、各種の警報用機器に接続される移報出力部との対応関係を設定手段で設定することにより、警報入力部に入力される警報信号を設定手段で設定された移報出力部に伝達し、警報が発生した各種機器に対応した警報用機器を動作させることができる。このため、設定手段の設定をしたりあるいはその設定を変更するだけで、リレーおよびリレー接点等の配線作業をすることなく、警報盤の新設、機器の変更、増設に対応することができるので、配線数を削減し、配線作業が簡単になり、設置や変更が容易になる。
【００１３】
設定手段は第１の操作部ないし第３の操作部を操作することにより簡単に設定作業を行うことができる。  
【発明を実施するための最良の形態】
【００１４】
この発明の一実施の形態を図１から図９により説明する。図１は警報盤１と設備機器２と警報用機器３の関係を示すブロック図である。警報盤１は警報入力部４と移報出力部５と制御部６とを有する。警報入力部４は設備機器２に接続され、移報出力部５は制御部６によって制御される接点や半導体素子などのスイッチを有し、警報用機器３に接続されている。制御部６は設定手段１５、第１の判断手段１６および第２の判断手段１７を有する。設定手段１５は、警報入力部４に応じて警報信号を出力させるべき１または複数の移報出力部５を設定するものである。第１の判断手段１６は設備機器２から警報信号を入力した警報入力部４を判断する。第２の判断手段１７は、第１の判断手段１６で判断された警報入力部４から警報信号を移報すべき移報出力部５を、設定手段１５の設定に基づいて判断し、その移報出力部５より警報信号を出力させるものである。制御部６は例えば上記各手段を機能させるコンピュータを使用し、プログラムで処理を行う。プログラムは制御部６に内蔵したメモリや、ディスクなどのコンピュータ読み取り可能な記録媒体に記憶させている。
【００１５】
つぎに設備機器２には、高圧の電気関係に用いられている機器を表す「電気（高圧）」警報Ａ（警報入力Ｘ１）、水道関係に用いられている機器を表す「水道」警報（警報入力Ｘ２）、ガス関係に用いられている機器をあらわす「ガス」警報（警報入力Ｘ３）、低圧の電気関係に用いられている機器を表す「電気（低圧）」警報Ｂ（警報入力Ｘ４）が図示されている。警報用機器３には、電気関係の警報を一括して実行・処理する「電気」警報（移報出力先Ｙ１）、水道関係の警報を一括して実行・処理する「水道」警報（移報出力先Ｙ２）、ガス関係の警報を一括して実行・処理する「ガス」警報（移報出力先Ｙ３）、警報灯であるパトライト（移報出力先Ｙ４）が図示されている。
【００１６】
図２は警報入力Ｘ１〜Ｘ４と移報出力先Ｙ１〜Ｙ４との対応関係を示している。すなわち警報入力Ｘ１から移報出力を受けると移報出力先Ｙ１、Ｙ４より出力するように、警報入力Ｘ１に対して移報出力先Ｙ１、Ｙ４を使用し、警報入力Ｘ２に対して移報出力先Ｙ２、Ｙ４を使用し、警報入力Ｘ３に対して移報出力先Ｙ３、Ｙ４を使用し、警報入力Ｘ４に対して移報出力先Ｙ１、Ｙ４を使用するものとしている。移報出力先Ｙ５〜Ｙ８は予備であり、警報盤１の移報出力部５には設けられており、増設可能であることを示している。
【００１７】
図３は図２にしたがい各警報入力に対応する移報出力先の設定表示を示し、図４は各警報入力ごとの移報出力先を、図５に示す警報盤のパネル面の表示部の画面に表した例を示す。すなわち、図（ａ）は図３の警報入力Ｘ１の場合、図（ｂ）は同じく警報入力Ｘ２の場合、図（ｃ）は同じく警報入力Ｘ３の場合、図（ｄ）は同じく警報入力Ｘ４の場合である。
【００１８】
図５は警報盤のパネル面を示す。パネル面は液晶ディスプレイによる表示部１２と、複数の操作用のボタンからなる。ボタンの中で、ボタン８〜１１は警報入力に対応する移報出力先を設定する、設定手段を構成する操作部である。
【００１９】
図６は一例として、警報入力Ｘ３を移報出力Ｙ３、Ｙ４に出力させる場合の設定方法を示す。同図（ａ）は「移報出力」の表示のあるボタン８を押して、表示部１２に移報出力先を設定する画面を表示させる。この状態で通常警報入力Ｘ１の移報出力先の画面が現れ、移報出力先のＮｏ．１にはカーソル１３が位置するが、ここでは警報入力Ｘ１、Ｘ２の設定が終わり、警報入力Ｘ３の設定画面にした状態であるとする。同図（ｂ）は「ＮＥＸＴ」を表す横三角印のボタン１０を２回押しカーソル１３を「３」の位置に移動させている。同図（ｃ）は「ＵＰ」を表す縦三角印のボタン９を押して移報出力先ＮＯ．３を選択する。その際、移報出力部表示が行われ、「３」の文字が黒地白抜きに変わる。ここでキャンセルする場合は「ＵＰ」ボタン９を再度押すことで元にもどる。同図（ｄ）はボタン１０を１回押しカーソル１３を「４」の位置まで移動させる。その際、移報出力部表示が行われ「４」の文字が黒地白抜きに変わる。同図（ｅ）はボタン９を１回押し移報出力先ＮＯ．４を選択する。同図（ｆ）は「ＥＮＴｅｒ」を表すボタン１１を１回押し、設定内容が移報出力先ＮＯ．３、４であることをメモリに記憶させる。同時に表示部１２は警報入力Ｘ４の移報出力設定画面に変わり、カーソル１３が移報出力先Ｎｏ．１に位置する。警報入力Ｘ４の移報出力先Ｙ１、Ｙ４の設定も上記と同様に行う。この手順により、図３および図４に示す警報入力Ｘ１〜Ｘ４に対応する移報出力Ｙ１〜Ｙ４が設定される。
【００２０】
なお、このような操作を可能とする設定手段はプログラムのほか、回路構成で実現することも可能である。  
【００２１】
図７は警報入力Ｘ１〜Ｘ４のいずれかから警報発生があった場合の移報出力処理を示す。ステップＳ１で移報出力先Ｙ１〜Ｙ８の出力要求の処理をオフにする。ステップＳ２で初期値Ａを警報入力Ｘ１にセットする。ステップＳ３で初期値Ａすなわち警報入力Ｘ１に警報発生があるか否かを判断する。警報発生がなければ（正常として）ステップＳ５に移行し初期値Ａを＋１アップした次警報入力である警報入力Ｘ２にセットする。ステップＳ６で警報入力Ｘ４までチェック終了したか否かを判断し、Ｎｏであれば、ステップＳ３にもどる。
【００２２】
ステップＳ３で警報入力Ｘ１の警報発生中であれば、ステップＳ４に移行し、メモリより読み出した移報出力先Ｙ１の設定がありか否かを判断し、「あり」の場合移報出力先Ｙ１の出力要求の処理をオンにし、つぎの移報出力先Ｙ２の設定が「あり」か否かの判断に移行する。「なし」の場合も同様である。この手順をさらに移報出力先Ｙ２からＹ８まで行い、ステップＳ５に移行する。
【００２３】
ステップＳ４において、警報入力Ｘ１の場合メモリから読み出された移報出力先Ｙ１、Ｙ４の出力要求がオンとなり、同様に警報入力Ｘ２の場合移報出力先Ｙ２、Ｙ４の出力要求がオンとなり、警報入力Ｘ３の場合移報出力先Ｙ３、Ｙ４の出力要求がオンとなり、警報入力Ｘ４の場合移報出力先Ｙ１、Ｙ４の出力要求がオンとなる。
【００２４】
図８は図７のステップＳ６において、警報入力Ｘ１〜Ｘ４のチェックが最終か否かの判断がＹｅｓの場合のステップＳ７のフローチャートである。ステップＳ７ではステップＳ４で処理された移報出力先Ｙ１〜Ｙ８の各移報出力の出力要求（「移報Ｙｎ（ｎ＝１〜８）要求」と表示）がｏｎかｏｆｆかを順次判断する。これらの要求においてｏｎのとき移報出力先の出力をｏｎ（「移報Ｙｎ出力ｏｎ」と表示）にし、ｏｆｆのとき移報出力先の出力をｏｆｆ（「移報Ｙｎ出力ｏｆｆ」と表示）にする。これにより、どの警報入力Ｘ１〜Ｘ４についてもそれぞれについて設定された移報出力先に移報が行われ、移報出力先の各種の警報用機器が動作する。ステップＳ７のあと終了するか移報出力処理へもどり、間欠ないし定期的または連続的に警報発生に応じて移報出力処理を行う。
【００２５】
なお警報入力は実施の形態に限らず５以上であってもよい。また警報用機器３は警報を目的とする機器に限らず、警報信号を処理する機器、例えば警報履歴を記憶等するためにメモリに格納する機器等を含む。
【図面の簡単な説明】
【００２６】
【図１】この発明の一実施の形態の警報システムのブロック図である。
【図２】警報入力と移報出力先との対応関係を示す図である。
【図３】警報入力に対する移報出力先を示す図である。
【図４】（ａ）〜（ｄ）は警報入力ごとの移報出力先を表す表示部の画面を示す図である。
【図５】警報盤のパネル面を示す図である。
【図６】設定手段の設定手順を説明する図である。
【図７】移報出力処理の前半のフローチャートである。
【図８】移報出力処理の後半のフローチャートである。
【図９】従来例の警報システムの説明図である。
【符号の説明】
【００２７】
１    警報盤
２    設備機器
３    警報用機器
４    警報入力部
５    移報出力部
６    制御部
８〜１１  ボタン
１２  表示部
１３  カーソル
１５  設定手段
１６  第１の判断手段
１７  第２の判断手段  
Ｘ１〜Ｘ４  警報入力
Ｙ１〜Ｙ４  移報出力先
【図１】
2007072748.tif 000003
【図２】
2007072748.tif 000004
【図３】
2007072748.tif 000005
【図４】
2007072748.tif 000006
【図５】
2007072748.tif 000007
【図６】
2007072748.tif 000008
【図７】
2007072748.tif 000009
【図８】
2007072748.tif 000010
【図９】
2007072748.tif 000011